(57)【要約】【課題】端末利用者の在席、離席、外出、帰宅を管理する座席情報管理システム、座席情報管理方法及びプログラムの提供。【解決手段】通信端末装置１０３が座席又は座席周辺の無線通信装置１０２からの近距離無線信号を受信すると在席を座席管理サーバ１０５に送信し、在席を受信した、座席管理サーバ１０５が座席表を在席に変更し、通信端末装置１０３が無線通信装置１０２からの近距離無線信号を受信できなくなると離席を座席管理サーバ１０５に送信し、離席を受信した座席管理サーバ１０５が座席表を離席に変更し、座席表が離席の場合、在圏している基地局の基地局識別子が閾値以上変化すると、通信端末装置１０３が外出を座席管理サーバ１０５に送信し、外出を受信した座席管理サーバ１０５が座席表を外出に変更する。【選択図】図１
2018101305.tif 000002
【特許請求の範囲】
【請求項１】
通信端末装置が当該通信端末装置を利用する端末利用者に座るように割り当てられた座席又は当該座席の周辺に設けられた無線通信装置から発信された当該無線通信装置の固有識別情報を含む近距離無線信号を受信した場合に当該通信端末装置の固有識別情報又は前記端末利用者の固有識別情報を座席管理サーバに送信し、前記座席管理サーバが当該座席管理サーバに予め記憶された座席表における前記座席に相当する座席部のステータスを在席に変更し、在席する座席に相当する在圏基地局識別子を在席基地局識別子として保持する一方、前記通信端末装置が前記無線通信装置の固有識別情報を含む前記近距離無線信号を受信できなくなると離席を前記座席管理サーバに送信し、前記離席を受信した前記座席管理サーバが前記座席表における座席部のステータスを離席に変更する座席情報管理システムにおいて、前記座席部のステータスが離席の場合には、離席を判断した後、前記通信端末装置が在圏している基地局の在圏基地局識別子が変化する度に、前記変化した在圏基地局識別子と前記在席基地局識別子との変化を検知し、前記在圏基地局識別子の変化が前記通信端末装置に予め記憶された閾値以上になると前記通信端末装置が外出を座席管理サーバに送信し、前記外出を受信した前記座席管理サーバが前記座席表における前記座席に相当する座席部のステータスを外出に変更することを特徴とする座席情報管理システム。
【請求項２】
前記在圏基地局識別子の変化が前記通信端末装置に予め記憶された閾値以上になると、前記通信端末装置が前記端末利用者に対して座席に戻るように前記通信端末装置に通知することを特徴とする請求項１記載の座席情報管理システム。
【請求項３】
前記在圏基地局識別子の変化が前記通信端末装置に予め記憶された閾値以上になると、前記通信端末装置が当該通信端末装置の操作部を使用不可にすることを特徴とする請求項１記載の座席情報管理システム。
【請求項４】
通信端末装置が当該通信端末装置を利用する端末利用者に座るように割り当てられた座席又は当該座席の周辺に設けられた無線通信装置から発信された当該無線通信装置の固有識別情報を含む近距離無線信号を受信した場合に当該通信端末装置の固有識別情報又は前記端末利用者の固有識別情報を座席管理サーバに送信し、前記座席管理サーバが当該座席管理サーバに予め記憶された座席表における前記座席に相当する座席部のステータスを在席に変更する座席情報管理システムにおいて、前記通信端末装置が前記無線通信装置の固有識別情報を含む近距離無線信号を受信できなくなりかつ通信端末装置に予め記憶された前記端末利用者における自宅周辺における基地局の当該基地局を特定する自宅基地局識別子を検知すると帰宅を座席管理サーバに送信し、前記帰宅を受信した前記座席管理サーバが前記座席表における前記座席に相当する座席部のステータスを帰宅に変更することを特徴とする座席情報管理システム。
【請求項５】
前記通信端末装置又は前記通信端末装置以外の通信端末装置が座席管理サーバに座席表を要求すると、座席管理サーバが当該要求元の通信端末装置に座席表を送信し、前記要求元の通信端末装置が受信した座席表のステータスを表示することを特徴とする請求項１又は４に記載の座席情報管理システム。
【請求項６】
通信端末装置が当該通信端末装置を利用する端末利用者に座るように割り当てられた座席又は当該座席の周辺に設けられた無線通信装置から発信された当該無線通信装置の固有識別情報を含む近距離無線信号を受信した場合に当該通信端末装置の固有識別情報又は前記端末利用者の固有識別情報を座席管理サーバに送信し、前記座席管理サーバが当該座席管理サーバに予め記憶された座席表における前記座席に相当する座席部のステータスを離席から在席に変更し、在席する座席に相当する在圏基地局識別子を在席基地局識別子として保持する一方、前記通信端末装置が前記無線通信装置の固有識別情報を含む前記近距離無線信号を受信できなくなると離席を前記座席管理サーバに送信し、前記離席を受信した前記座席管理サーバが前記座席表における座席部のステータスを離席に変更する座席情報管理方法において、前記座席部のステータスが離席の場合には、離席を判断した後、前記通信端末装置が在圏している基地局の在圏基地局識別子が変化する度に、前記変化した在圏基地局識別子と前記在席基地局識別子との変化を検知するステップと、前記在圏基地局識別子の変化が前記通信端末装置に予め記憶された閾値以上になると前記通信端末装置が外出を座席管理サーバに送信するステップと、前記外出を受信した前記座席管理サーバが前記座席表における前記座席に相当する座席部のステータスを外出に変更するステップと、を備えたことを特徴とする座席情報管理方法。
【請求項７】
通信端末装置が当該通信端末装置を利用する端末利用者に座るように割り当てられた座席又は当該座席の周辺に設けられた無線通信装置から発信された当該無線通信装置の固有識別情報を含む近距離無線信号を受信した場合に当該通信端末装置の固有識別情報又は前記端末利用者の固有識別情報を座席管理サーバに送信し、前記座席管理サーバが当該座席管理サーバに予め記憶された座席表における前記座席に相当する座席部のステータスを在席に変更し、在席する座席に相当する在圏基地局識別子を保持する一方、前記通信端末装置が前記無線通信装置の固有識別情報を含む前記近距離無線信号を受信できなくなると離席を前記座席管理サーバに送信し、前記離席を受信した前記座席管理サーバが前記座席表における座席部のステータスを離席に変更する座席情報管理方法において、前記通信端末装置が前記無線通信装置の固有識別情報を含む近距離無線信号を受信できなくなりかつ前記通信端末装置に予め記憶された前記端末利用者における自宅周辺における基地局の当該基地局を特定する自宅基地局識別子を検知するステップと、前記自宅基地局識別子を検知すると帰宅を座席管理サーバに送信するステップと、前記帰宅を受信した前記座席管理サーバが前記座席表における前記座席に相当する座席部のステータスを帰宅に変更するステップと、を備えたことを特徴とする座席情報管理方法。
【請求項８】
コンピュータを、請求項１又は４に記載の座席情報管理システムとして機能させることを特徴とするプログラム。
【発明の詳細な説明】
【技術分野】
【０００１】
本発明は、近距離無線信号を送信する無線通信装置と、前記無線通信装置から送信された近距離無線信号を受信する通信端末装置と、通信ネットワークを通じて前記通信端末装置と接続可能な座席管理サーバと、を用いて、座席の在席離席状況を管理する座席情報管理システム、座席情報管理方法及びプログラムに関する。
【背景技術】
【０００２】
従来、座席情報管理システムは、オフィス内等の座席の配置と、各座席にて使用されている端末装置とを対応付けた座席表を用意しておき、端末装置から取得した情報と当該座席表とに基づき、端末利用者の座席位置や在席情報を管理する座席情報管理システムが知られている。
【０００３】
例えば、下記特許文献１には、自律的に移動している移動装置が現在地の情報と端末利用者の固有識別情報を取得して管理装置へ送信し、管理装置は受信した情報から座席を特定して座席表に端末利用者識別情報を付与し、在席情報を表示している。また、下記特許文献２には、各座席に設置されたカードリーダに認証カードを読み取らせ、読取が実行されたか否かで端末利用者の在席情報を管理している。
【先行技術文献】
【特許文献】
【０００４】
【特許文献１】特開２０１６−１２６３７３号公報
【特許文献２】特開２０１３−１９６３０２号公報
【発明の概要】
【発明が解決しようとする課題】
【０００５】
しかし、上記特許文献１及び２に記載の技術を用いた座席情報管理システムでは、端末利用の在席や離席情報しか判断していないため、外出や帰宅による離席であるかまでは把握することができなかった。
【０００６】
本発明は、上記の問題を解決するためになされたものであり、通信端末装置が当該通信端末装置を利用する端末利用者に座るように割り当てられた座席又は当該座席の周辺に設けられた無線通信装置から発信された当該無線通信装置の固有識別情報を含む近距離無線信号を受信して、前記端末利用者の在席及び離席並びに外出或いは帰宅を管理する座席情報管理システム、座席情報管理方法及びプログラムの提供を目的とする。
【課題を解決するための手段】
【０００７】
本発明の座席情報管理システムは、通信端末装置が通信端末装置を利用する端末利用者に座るように割り当てられた座席又は当該座席の周辺に設けられた無線通信装置から発信された固有識別情報を含む近距離無線信号を受信できない離席の場合において、離席を判断した後、通信端末装置が在圏している基地局の在圏基地局識別子が変化する度に、変化した在圏基地局識別子と在席に対して保持した在席基地局識別子との変化を検知し、この検知した変化が閾値以上になると通信端末装置が外出を座席管理サーバに送信し、この外出を受信した座席管理サーバが座席表のステータスを外出に変更することを特徴とするか、又は、通信端末装置が通信端末装置を利用する端末利用者に座るように割り当てられた座席又は当該座席の周辺に設けられた無線通信装置から発信された固有識別情報を含む近距離無線信号を受信できない離席の場合において、通信端末装置が端末利用者の自宅周辺における自宅基地局識別子を検知すると帰宅を座席管理サーバに送信し、この帰宅を受信した座席管理サーバが座席表のステータスを帰宅に変更することを特徴とする。本発明の座席情報管理方法は、通信端末装置が通信端末装置を利用する端末利用者に座るように割り当てられた座席又は当該座席の周辺に設けられた無線通信装置から発信された固有識別情報を含む近距離無線信号を受信できない離席の場合において、離席を判断した後、通信端末装置が在圏している基地局の在圏基地局識別子が変化する度に、変化した在圏基地局識別子と在席に対して保持した在席基地局識別子との変化を検知するステップと、この検知した変化が閾値以上になると通信端末装置が外出を座席管理サーバに送信するステップと、この外出を受信した座席管理サーバが座席表のステータスを外出に変更するステップとを備えたことを特徴とするか、又は、通信端末装置が通信端末装置を利用する端末利用者に座るように割り当てられた座席又は当該座席の周辺に設けられた無線通信装置から発信された固有識別情報を含む近距離無線信号を受信できない離席の場合において、通信端末装置が端末利用者の自宅周辺における自宅基地局識別子を検知すると帰宅を座席管理サーバに送信するステップと、この帰宅を受信した座席管理サーバが座席表のステータスを帰宅に変更するステップとを備えたことを特徴とする。本発明のプログラムは、コンピュータを前記座席情報管理システムとして機能させることを特徴とする。
【０００８】
本発明によれば、通信端末装置が通信端末装置を利用する端末利用者に座るように割り当てられた座席又は当該座席の周辺に設けられた無線通信装置から発信された固有識別情報を含む近距離無線信号を受信できない離席の場合において、離席を判断した後、通信端末装置が在圏している基地局の在圏基地局識別子が変化する度に、変化した在圏基地局識別子と在席に対して保持した在席基地局識別子との変化を検知し、この検知した変化が閾値以上になると、通信端末装置が外出を座席管理サーバに送信し、外出を受信した座席管理サーバが座席管理サーバに予め記憶された座席表における座席部のステータスを外出に変更するか、又は、通信端末装置が通信端末装置を利用する端末利用者に座るように割り当てられた座席又は当該座席の周辺に設けられた無線通信装置から発信された固有識別情報を含む近距離無線信号を受信できない離席の場合に端末利用者の自宅周辺における自宅基地局識別子を検知すると帰宅を座席管理サーバに送信し、帰宅を受信した座席管理サーバが座席表のステータスを帰宅に変更するので、前記通信端末装置以外の通信端末装置が座席管理サーバに座席表を要求し、座席管理サーバが当該要求元の通信端末装置に座席表を送信することにより、前記通信端末装置以外の通信端末装置を利用する端末利用者が前記無線通信装置から発信された固有識別情報を含む近距離無線信号を受信できなくなって離席した通信端末装置を利用する端末利用者の外出又は帰宅を把握することができる。本発明の座席情報管理システムにおいて、離席を判断した後、通信端末装置が在圏している基地局の在圏基地局識別子が変化する度に、変化した在圏基地局識別子と在席に対して保持した在席基地局識別子との変化を検知し、この検知した変化が閾値以上になると、通信端末装置が端末利用者に対して座席に戻るように当該通信端末装置に通知すれば、当該通信端末装置を利用する端末利用者に席に戻ることを促すことができる。又、本発明座席情報管理システムにおいて、在席に対する在圏基地局識別子と離席に対する在圏基地局識別子との変化が閾値以上になると、社内で持ち出し禁止等利用が制限されている通信端末装置が当該通信端末装置の操作部を使用不可にすることで、 盗難や紛失だけでなく、他人への情報漏えいや不正使用を防ぐことができる。
【図面の簡単な説明】
【０００９】
【図１】発明の実施形態に係る座席情報管理システムのシステム構成を示す概念図である。
【図２】発明の実施形態に係る無線通信装置の内部構成を示すブロック図である。
【図３】発明の実施形態に係る無線通信装置の座席群への配置図である。
【図４】発明の実施形態に係る通信端末装置の内部構成を示すブロック図である。
【図５】発明の実施形態に係る通信端末装置の外出に対する座席ステータス判定手順を示すフローチャート図である。
【図６】発明の実施形態に係る通信端末装置の帰宅に対する座席ステータス判定手順を示すフローチャート図である。
【図７】発明の実施形態に係る座席管理サーバの内部構成を示すブロック図である。
【図８】発明の実施形態に係る座席管理サーバの座席表ステータスの変更手順を示すフローチャート図である。
【図９】発明の実施形態に係る座席表のステータス変更前と変更後を示す説明図である。
【発明を実施するための形態】
【００１０】
（座席情報管理システムのシステム構成）
図１を用いて、発明の実施形態に係る座席情報管理システム１０１について説明する。図１に示した座席情報管理システム１０１は、無線通信装置１０２、通信端末装置１０３、通信網１０４、座席管理サーバ１０５を備える。そして、座席情報管理システム１０１は、通信端末装置１０３が通信端末装置１０３を利用する端末利用者に割り当てられた座席又は当該座席の周辺に設けられた無線通信装置１０２から定期的に発信された無線通信装置１０２の固有識別情報を含む近距離無線信号を受信した場合に通信端末装置１０３の固有識別情報又は端末利用者の固有識別情報の一方又は両方を座席管理サーバ１０５に送信し、座席管理サーバ１０５が当該座席管理サーバ１０５に予め記憶された座席表における座席に相当する座席部のステータスを在席とする一方、通信端末装置１０３が無線通信装置１０２から発信された固有識別情報を含む近距離無線信号を受信できなくなると離席を座席管理サーバ１０５に送信し、通信端末装置１０３から離席を受信した座席管理サーバ１０５が当該座席管理サーバ１０５に予め記憶された座席表における前記座席に相当する座席部のステータスを離席に変更し、前記座席部のステータスが離席の場合において、離席を判断した後、通信端末装置１０３が在圏している基地局の在圏基地局識別子が変化する度に、変化した在圏基地局識別子と在席する座席の在席基地局識別子との変化を検知し、基地局の在圏基地局識別子の変化が通信端末装置１０３に予め記憶された閾値以上になると通信端末装置１０３が外出を座席管理サーバ１０５に送信し、当該外出を受信した座席管理サーバ１０５が座席表における座席に相当する座席部のステータスを外出に変更するようになっているか、又は、通信端末装置１０３が前記固有識別情報を含む近距離無線信号を受信できなくなり、通信端末装置１０３が通信端末装置１０３に予め記憶された端末利用者の自宅周辺における基地局の当該基地局を特定する自宅基地局識別子を検知すると帰宅を座席管理サーバ１０５に送信し、帰宅を受信した座席管理サーバ１０５が座席表における座席に相当する座席部のステータスを帰宅に変更するようになっている。
【００１１】
無線通信装置１０２は、ＢＬＥ（Ｂｌｕｅｔｏｏｔｈ（登録商標）  Ｌｏｗ  Ｅｎｅｒｇｙ）ビーコン、赤外線通信の通信モジュールなどから構成され、図３のように複数個の座席からなる座席群に設置されている。
【００１２】
通信端末装置１０３は、通信網１０４を介して、座席管理サーバ１０５と情報を送受することのできる機器である。通信端末装置１０３は、ハードウェアにより実現されてもよく、ハードウェア及びソフトウエアにより実現されてもよい。通信端末装置１０３としては、パーソナルコンピュータ、携帯端末などを例示することができる。携帯端末としては、携帯電話、スマートフォン、ＰＤＡ、タブレット、ノートブック・コンピュータ又はラップトップ・コンピュータ、ウエアラブル・コンピュータなどを例示することができる。通信端末装置１０３は、ブロックチェーンなどの分散型台帳技術又は分散型ネットワークを利用して、情報を格納してもよい。
【００１３】
通信網１０４は、無線通信の伝送路である。通信網１０４は、ＷＣＤＭＡ（登録商標）及びＣＤＭＡ２０００などの第３世代（３Ｇ）の通信方式、ＬＴＥなどの第４世代（４Ｇ）の通信方式、及び第５世代（５Ｇ）以降の通信方式等の他、Ｗｉｆｉ（登録商標）、ＷＡＮ（Wide  Area  Network）、ＬＡＮ（Local  Area  Network）、ＶＰＮなどの無線通信ネットワークを含んでもよい。
【００１４】
座席管理サーバ１０５は、サーバ装置が単数又は複数により構成され、各サーバ装置の機能は、各種情報処理を実行するサーバコンピュータ或いはその機能を持ったソフトウエアで実現される。この座席管理サーバ１０５には、サーバ用のアプリケーションソフトウェアを実行するサーバコンピュータ、若しくはそのようなコンピュータ上でのアプリケーションの実行を管理補助するミドルウェアで構成されたアプリケーションサーバが含まれる。
【００１５】
（各装置の構成）
次いで、各装置の構成について詳述する。次いで、図２を用いて発明の実施形態に係る無線通信装置１０２の構成、図３を用いて発明の実施形態に係る無線通信装置１０２と座席群との配置、図４を用いて発明の実施形態に係る通信端末装置１０３の構成、図６を用いて発明の実施形態に係る座席管理サーバ１０５の構成について詳述する。
【００１６】
（無線通信装置の構成）
図２に示すように、本実施形態において無線通信装置１０２は、識別情報保持部２０１、送信部２０２、電源部２０３、電源スイッチ２０４、制御部２０５、を備えている。
【００１７】
識別情報保持部２０１は、無線通信装置１０２の固有識別情報（ビーコンＩＤと称される場合がある。）を保持している。識別情報保持部２０１は、制御部２０５の制御の下、固有識別情報を送信部２０２へ出力する。
【００１８】
送信部２０２は、制御部２０５による制御の下で無線通信装置１０２の固有識別情報を含む近距離無線信号を通信端末装置１０３に送信する。近距離通信無線信号としては、例えば、Ｂｌｕｅｔｏｏｔｈ（登録商標）、ｉＢｅａｃｏｎ（登録商標）、ＺｉｇＢｅｅ（登録商標）、ＮＦＣ（Ｎｅａｒ  Ｆｉｅｌｄ  Ｃｏｍｍｕｎｉｃａｔｉｏｎ）、光ビーコン、音声ビーコンなどの近距離無線通信規格を含んでもよい。近距離無線通信規格を使用することで、狭いエリアごと（例えば、テーブルごと）に端末利用者の在席、離席を、判定することができる。
【００１９】
電源部２０３は、電力を図２に記載された構成図内の識別情報保持部２０１、送信部２０２、制御部２０５、に供給する。なお、識別情報保持部２０１、送信部２０２、制御部２０５、への電源供給は、電源スイッチ２０４により制御され、電源スイッチ２０４は、識別情報保持部２０１、送信部２０２、制御部２０５、への電源の供給を制御する。つまり、電源スイッチがオン状態になると、識別情報保持部２０１、送信部２０２、制御部２０５、が電源部２０３から供給された電力で動作を開始し、電源スイッチ２０４がオフ状態になると、前記電源部２０３から識別情報保持部２０１、送信部２０２、制御部２０５、への電力の供給が停止し、識別情報保持部２０１、送信部２０２、制御部２０５、が動作を停止する。
【００２０】
制御部２０５は、電源部２０３から電力の供給で識別情報保持部２０１、送信部２０２を制御し、前記電源部２０３から電力の供給の停止で前記識別情報保持部２０１、送信部２０２に対する制御を停止する。
【００２１】
図３を用いて、発明を実施するための形態に係る無線通信装置１０２の座席３０１から３０４まで又は座席３０１から３０４までの周辺への配置ついて説明する。図３では無線通信装置１０２が複数個の座席３０１と３０２と３０４及び３０４からなる１つの座席群３０５又は当該座席群３０５の周辺に対し１つ設けられた場合を例示したが、無線通信装置１０２が３０１から３０４のうちの１つの座席又は当該１つの座席の周辺に対し１つずつ配置されても適用可能である。この無線通信装置１０２が設けられる座席３０１から３０４までは、通信端末装置１０３を利用する端末利用者が座るように当該端末利用者に割り当てられて建物の内部又は外部における所定の場所に設けられている。図３では、座席３０１は端末利用者Ａさんが座るべき席、座席３０２は端末利用者Ｂさんが座るべき席、座席３０３は端末利用者Ｃさんが座るべき席、座席３０４は端末利用者Ｄさんが座るべき席として、それぞれの座席３０１から３０４までが互いに寄せ合わせて１つの座席群３０５を構成し、当該座席群３０５の中心部に１つの無線通信装置１０２が設けられ、この無線通信装置１０２が当該無線通信装置１０２の固有識別情報を含む近距離無線信号を座席３０１から３０４までを含む所定の発信エリアに定期的に発信している。１つの座席群３０５を構成する座席の個数は４個に限定されるものではなく、２個又は３個又は５個以上であっても適用可能である。又、１つの座席に１つの無線通信装置１０２が設けられ態様と１つの座席群３０５に１つの無線通信装置１０２が設けられた態様とが混在した場合でも適用可能である。
【００２２】
（通信端末装置の構成）
図４に示すように、本実施形態において通信端末装置１０３は、端末電源部４０１、電源スイッチ４０２、端末制御部４０３、端末表示部４０４、操作部４０５、記憶部４０６、端末受信部４０７、判断部４０８、判定部４０９、基地局識別子保持部４１０、在圏基地局識別子取得部４１１、検知部４１２、端末送信部４１３、端末通信部４１４、通知部４１５、ディスプレイ４１６、を備えている。
【００２３】
端末電源部４０１は、電力を端末制御部４０３、端末表示部４０４、操作部４０５、記憶部４０６、端末受信部４０７、判断部４０８、判定部４０９、基地局識別子保持部４１０、在圏基地局識別子取得部４１１、検知部４１２、端末送信部４１３、端末通信部４１４、通知部４１５、ディスプレイ４１６、に供給する。なお、端末制御部４０３からディスプレイ４１６までへの電源供給は、電源スイッチ４０２により制御され、電源スイッチ４０２は、端末制御部４０３からディスプレイ４１６までへの電源の供給を制御する。つまり、電源スイッチ４０２がオン状態になると、端末制御部４０３からディスプレイ４１６までが端末電源部４０１から供給された電力で動作を開始し、電源スイッチ４０２がオフ状態になると、前記端末電源部４０１から端末制御部４０３からディスプレイ４１６までへの電力の供給が停止し、端末制御部４０３からディスプレイ４１６までのそれぞれが動作を停止する。
【００２４】
端末制御部４０３は、端末電源部４０１からの電力の供給で端末表示部４０４、操作部４０５、記憶部４０６、端末受信部４０７、判断部４０８、判定部４０９、基地局識別子保持部４１０、在圏基地局識別子取得部４１１、検知部４１２、端末送信部４１３、端末通信部４１４、通知部４１５、ディスプレイ４１６、を制御し、前記端末電源部４０１からの電力の供給の停止で端末表示部４０４、操作部４０５、記憶部４０６、端末受信部４０７、判断部４０８、判定部４０９、基地局識別子保持部４１０、在圏基地局識別子取得部４１１、検知部４１２、端末送信部４１３、端末通信部４１４、通知部４１５、ディスプレイ４１６、に対する制御を停止する。
【００２５】
端末表示部４０４は、端末制御部４０３から入力された座席表と座席表の判定情報をディスプレイ４１６に表示させてよい。端末表示部４０４は、例えば、液晶ディスプレイ、有機ＥＬ（ｅｌｅｃｔｒｏ  ｌｕｍｉｎｅｓｃｅｎｃｅ）ディスプレイ等である。また、液晶ディスプレイ、有機ＥＬディスプレイはタッチパネル機能を含んでもよい。
【００２６】
操作部４０５は、端末利用者から操作された場合に、当該操作に相当する入力信号を端末制御部４０３に出力するものであり、例えば、ボタン又はキー又はディスプレイに表示されたタッチセンサ等で構成される。操作部４０５は、通信端末装置１０３に無線通信装置１０２の固有識別情報と、端末利用者の固有識別情報を入力し、端末制御部４０３による制御の下で記憶部４０６に受け渡される。操作部４０５より受け渡された、無線通信装置１０２の固有識別情報（Ｂｅａｃｏｎ ＩＤと称される場合がある。）と端末利用者の固有識別情報（利用者ＩＤ、社員ＩＤと称される場合がある。）とを記憶部４０６で記憶する。
【００２７】
Ｂｅａｃｏｎ ＩＤとしては、無線通信装置１０２を識別することができる情報が用いられることが好ましい。例えば、特定の無線通信装置１０２のＩＤとして、重複のないユニークな符号列が付与される。符号列は、通信端末装置１０３のそれぞれに固有の符号列であってもよく、複数の通信端末装置１０３の間で再利用されてもよい。
【００２８】
端末利用者の固有識別情報としては、端末利用者に振り分けられた識別情報であり、重複のないユニークな符号列が付与される。
【００２９】
端末受信部４０７は、通信端末装置１０３が無線通信装置１０２の発信エリアに入ると、端末制御部４０３による制御の下、通信端末装置１０３から発信エリアに発信された無線通信装置１０２の固有識別情報を含む近距離無線信号を端末制御部４０３による制御の下で受信し、受信した前記固有識別情報を含む近距離無線信号を判断部４０８に出力する。
【００３０】
判断部４０８は、端末受信部４０７から入力された無線通信装置１０２の固有識別情報を記憶部４０６に予め登録された無線通信装置１０２の固有識別情報と比較し、上記入力された固有識別情報が上記登録された固有識別情報と一致すれば、端末利用者が座るべき座席の周辺に居ると判断した信号を判定部４０９に出力し、上記入力された固有識別情報が上記登録された固有識別情報と不一致ならば、端末利用者が座るべき座席の周辺にいないと判断した信号を判定部４０９に出力する。
【００３１】
基地局識別子保持部４１０には、通信端末装置１０３が無線通信装置１０２から発信された近距離無線信号を受信して在席となった際に、端末利用者の座席の存在する基地局の当該基地局を特定する在圏基地局識別子を在席基地局識別子として保持されている。基地局識別子保持部４１０に保持される在席基地局識別子の個数は、単数でも複数でも適用可能であるが、基地局における発信エリアの辺境、又は、都心などの高密度な発信エリアでは、通信端末装置１０３が移動しなくても通信端末装置１０３の在圏する在圏基地局識別子が変化する可能性がある。このため、１つの基地局識別子の変化だけで判断せず、在席基地局識別子を複数個とし、これら複数個の比較で、通信端末装置１０３が端末利用者の座席の存在する発信エリアからの離脱を判断するように工夫をしている。
【００３２】
さらに、基地局識別子保持部４１０は、在席基地局識別子以外で複数の日数、長時間同じ基地局に在圏している場合は、その基地局を自宅基地局識別子として記憶してもよい。
【００３３】
在圏基地局識別子取得部４１１は、通信端末装置１０３が無線通信装置１０２から発信された近距離無線信号を受信できなくなって離席となった直近の過去に基地局識別子保持部４１０に保持された在圏基地局識別子を基地局識別子保持部４１０から取得して、端末制御部４０３による制御の下で検知部４１２へ受け渡される。
【００３４】
検知部４１２は、通信端末装置１０３が無線通信装置１０２から発信された無線通信装置１０２の固有識別情報を含む近距離無線信号を受信できなくなって離席となった際に、在圏基地局識別子取得部４１１から受け渡された在圏基地局識別子を通信端末装置１０３が無線通信装置１０２から発信された無線通信装置１０２の固有識別情報を含む近距離無線信号を受信して在席となった際に基地局識別子保持部４１０に保持された在席基地局識別子と比較し、在圏基地局識別子が在席基地局識別子より検知部４１２に予め設定された閾値（例えば、基地局識別子が単数又は複数個）以上変化したことを検知する。例えば、端末利用者が外出している場合を想定する。端末利用者の通信端末装置が、在圏している基地局の基地局識別子が変化する度に、その端末利用者の在席時に保持した在席基地局識別子との変化を比較して、基地局が閾値以上変化したことを検知部は検知する。基地局識別子は、例えば基地局識別子(Ｅ−ＵＴＲＡＮ  Ｃｅｌｌ  Ｇｒｏｂａｌ  Ｉｄ)や、緯度経度情報などを含んでもよい。
【００３５】
判定部４０９は、判断部４０８から受けた情報と検知部４１２から受けた情報とから、端末利用者の在席、離席、外出または帰宅（以下、判定情報と示す）を判定し、端末制御部４０３の制御の下、判定情報を端末送信部４１３に渡す。具体的には、判定部４０９が判断部４０８から端末利用者の座るべき座製の周辺に居ると判断した信号を受けると判定部４０９が在席と判定し、判定部４０９が判断部４０８から端末利用者の座るべき座製の周辺に居ないと判断した信号を受けると判定部４０９が離席と判定し、判定部４０９が検知部４１２から座席基地局識別子が閾値以上変化したことを検出した信号を受けると判定部４０９が外出と判定し、判定部４０９が検知部４１２から自宅基地局識別子を検出した信号を受けると判定部４０９が帰宅と判定し、判定部４０９が、端末制御部４０３の制御の下、判定情報を端末送信部４１３に渡す。
【００３６】
端末送信部４１３は、判定部４０９の判定情報と、記憶部４０６に記憶された端末利用者の固有識別情報を座席管理サーバ１０５へ送信する。
【００３７】
通知部４１５は、検知部４１２により閾値以上基地局が変化したことを検知した場合、通信端末装置１０３を座席に戻すよう促す旨の通知を、端末制御部４０３による制御の下で端末表示部４０４に出力する。また、端末制御部４０３は通信端末装置１０３の操作をする操作部４０５をロックし、使用不可にさせる。前記操作部４０５のロックにより、例えば、通信端末装置１０３が社内で持ち出し禁止等利用が制限されている場合における当該通信端末装置１０３の操作部４０５を使用不可にすることができる。
【００３８】
（通信端末装置の外出に対する座席ステータス判定手順）
図５を用いて、発明の実施形態に係る通信端末装置の外出に関する判定手順について説明する。
まず、端末利用者の通信端末装置においてアプリケーションを起動する。通信端末装置は、ステップ５０２で自席の無線通信装置の電波を受信したか否かを判定し、受信結果が肯定的であった場合、ステップ５０３へ進み、座席表のステータスを在席と判定し、在席と判定すると同時に在席する座席の在圏基地局識別子を在席基地局識別子として保存する（ステップ５０４）。自席の無線通信装置の電波を受信し続けている場合、ステップ５０５を繰り返す。端末利用者が席を外し、自席の無線通信装置の電波の受信が否定的であった場合、ステップ５０６へ進み、座席表のステータスを離席と判定する。
【００３９】
座席表のステータスが離席と判断され、さらにステップ５０７で自席の無線通信装置の電波を受信したか否かを判定し、受信結果が肯定的であった場合、ステップ５０３へ戻り、座席表のステータスは在席と判定される。受信が否定的であった場合、ステップ５０８へ進み、在圏する基地局の基地局識別子を取得する。ステップ５０８は座席表のステータスが離席となった後、取得した在圏基地局識別子が変化したことを検知し、変化が検知された場合、ステップ５０９へ進み、変化が検知されなかった場合、ステップ５０６へ戻る。ステップ５０９では取得した在圏基地局識別子とステップ５０４で保存した在席基地局識別子との比較を行い、ステップ５１０へ進む。
【００４０】
ステップ５１０では、比較結果が閾値以上であるか否かを判定する。比較結果が閾値以上であった場合、ステップ５１１へ進み、座席表のステータスは外出と判定される。比較結果が閾値以下であった場合、ステップ５０６へ戻り座席表のステータスは離席と判定される。
【００４１】
図６を用いて、発明の実施形態に係る通信端末装置の帰宅に関する判定手順について説明する。図６に示した端末利用者の通信端末装置におけるアプリケーションが起動した後のステップ６０１から６０６までの処理は、図５に示したステップ５０１から５０６までの処理と同じである。そして、図６に示したステップ６０６における受信が否定的であった場合、ステップ６０７へ進む。ステップ６０７において自宅基地局識別が検知されたかを判断し、自宅基地局識別子が検知されなかった場合はステップ６０６に戻り、自宅基地局識別子が検知された場合はステップ６０８に進む。ステップ６０８において座席表のステータスは帰宅と判定され、通信端末装置が帰宅を座席管理サーバに送信し、当該帰宅を受信した座席管理サーバが座席表における座席に相当する座席部のステータスを帰宅に変更する。
【００４２】
（座席管理サーバの構成）
図７に示すように、本実施形態において座席管理サーバ１０５は、サーバ制御部７０１、サーバ電源部７０２、電源スイッチ７０３、サーバ受信部７０４、座席特定部７０５、座席記憶部７０６、ステータス変更部７０７、サーバ送信部７０８、サーバ通信部７０９を備えている。
【００４３】
サーバ制御部７０１は、サーバ電源部７０２から電力の供給を受けて、サーバ受信部７０４、座席特定部７０５、座席記憶部７０６、ステータス変更部７０７、サーバ送信部７０８、サーバ通信部７０９を制御し、前記サーバ電源部７０２から電力の供給が停止すると、サーバ受信部７０４、座席特定部７０５、座席記憶部７０６、ステータス変更部７０７、サーバ送信部７０８、サーバ通信部７０９に対する制御を停止する。
【００４４】
サーバ電源部７０２は、電力をサーバ受信部７０４、座席特定部７０５、座席記憶部７０６、ステータス変更部７０７、サーバ送信部７０８、サーバ通信部７０９に供給する。なお、サーバ受信部７０４からサーバ通信部７０９までへの電源供給は、電源スイッチ７０３により制御され、電源スイッチ７０３は、サーバ受信部７０４からサーバ通信部７０９までへの電源の供給を制御する。つまり、電源スイッチ７０３は、オン状態にされた場合に、サーバ受信部７０４からサーバ通信部７０９まではサーバ電源部７０２から供給された電力で動作を開始する。
【００４５】
サーバ受信部７０４は、通信端末装置１０３の端末送信部４１３より送信された判定情報と、端末記憶部４０６に記憶された端末利用者の固有識別情報を受信し、サーバ制御部７０１による制御の下で座席特定部７０５へ受け渡される。
【００４６】
座席特定部７０５は、座席記憶部７０６に予め記憶している各端末利用者の固有識別情報に紐づいた座席表と、サーバ受信部７０４より受信した端末利用者の固有識別情報とを紐づけて、端末利用者の座席を特定する。
【００４７】
ステータス変更部７０７は、座席特定部７０５にて特定された端末利用者の座席情報に判定情報を付加することを更新し続け、判定情報が変化した際にステータスを変更する。
【００４８】
サーバ送信部７０８は、通信端末装置１０３又は通信端装置１０３以外の図示のされていない通信端末装置のいずれから座席表の要求を受けると、判定情報を付加した座席表の一部又は全部を要求元の通信端末装置１０３又は通信端装置１０３以外の図示のされていない通信端末装置のいずれに送信する。
【００４９】
（座席管理サーバの座席表ステータス変更手順）
図８を用いて、発明の実施形態に係る座席管理サーバ１０５の座席表のステータスを変更する手順について説明する。
まず、ステップ８０１では、通信端末装置１０３において座席表のステータスが判定された判定情報と端末利用者の固有識別情報を通信端末装置１０３から受信する。
【００５０】
ステップ８０２では、通信端末装置１０３から受信した端末利用者の固有識別情報と、座席管理サーバ１０５の座席記憶部７０６に記憶された各端末利用者の固有識別情報と紐づいた座席表とに基づいて、受信した端末利用者の座席を特定し、ステップ８０３へ進む。
【００５１】
ステップ８０３は、ステップ８０２にて特定した座席と、受信した判定情報とを紐づけて、座席表のステータスを変更する。座席表のステータスを変更した後、ステップ８０４へ進み、座席管理サーバ１０５に対して通信端末装置１０３又は通信端末装置１０３以外の通信端末装置から座席表の要求があった際、要求元の通信端末装置１０３又は通信端末装置１０３以外の通信端末装置に送信する。
【００５２】
図９を用いて、発明の実施形態に係る座席表のステータスの変更前と変更後とについて説明する。
図９に示した座席表９０５は、図３に示した座席群３０５に対応する態様である。図９のＡ図に示すように、ステータス変更前の座席表は座席９０１から９０４までが在席を白または緑等の予め設定された色で表しているものとする。図９のＡ図の状態から図９のＢ図に示すように通信端末装置１０３を利用する端末利用者であるＡさんが座席９０１から離席または、離席して外出または帰宅した場合に、端末利用者であるＡさんに割り当てられた座席９０１の色が図９のＡ図における予め設定された色から別の色に変化し離席または外出または帰宅したことを表している（図９のＢ図では、座席９０１を網掛け表示とした。）。例えば、通信端末装置を利用する端末利用者であるＡさんが座席９０１から離席した場合は、図９のＢ図に示す座席９０１の色が黄色に変化し、通信端末装置１０３を利用する端末利用者であるＡさんが座席９０１から離席して外出した場合は、図９のＢ図に示す網掛け表示された座席９０１が灰色に変化するというに、離席を表す色と外出を表す色を互いに別々の色で表現することが考えられる。又は、離席を表す色と外出を表す色と帰宅を表す色と在席を表す色から別の１つの例えば黄色とし、例えば、離席を表す黄色が模様の無い態様で表現し、外出を表す黄色が模様の有る態様で表現することも、又は、在席、離席、外出、帰宅を表す色を同じ色とし、例えば、在席を表す色が模様の無い態様で表現し、離席を表す色が模様の有る態様で表現し、外出を表す色が離席を表す模様以外の模様の有る態様で表現することも適用可能である。つまり、在席、離席、外出、帰宅を色の変化又は模様の変化で可視化できるようにすればよい。座席表９０５の座席の色の変化又は模様の変化に「在席」「離席」「外出」「帰宅」といった文字を追加してもよい。また、前記色又は前記模様を使用せずに「在席」「離席」「外出」「帰宅」といった文字で表現してもよい。
【００５３】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００５４】
１０１  座席情報管理システム、１０２  無線通信装置、１０３  通信端末装置、１０４  通信網、１０５  座席管理サーバ、２０１  識別情報保持部、２０２  送信部、２０３  電源部、２０４  電源スイッチ、２０５  制御部、３０１  座席、３０２  座席、３０３  座席、３０４  座席、３０５  座席群、  ４０１  端末電源部、４０２  電源スイッチ、４０３  端末制御部、４０４  端末表示部、４０５  操作部、４０６  記憶部、４０７  端末受信部、４０８  判断部、４０９  判定部、４１０  基地局識別子保持部、４１１  在圏基地局識別子取得部、４１２  検知部、４１３  端末送信部、４１４  端末通信部、４１５  通知部、４１６  ディスプレイ、７０１  サーバ制御部、７０２  サーバ電源部、７０３  電源スイッチ、７０４  サーバ受信部、７０５  座席特定部、７０６  座席記憶部、７０７  ステータス変更部、７０８  サーバ送信部、７０９  サーバ通信部、９０１  座席、９０２  座席、９０３  座席、９０４  座席、９０５  座席表。
【図１】
2018101305.tif 000003
【図２】
2018101305.tif 000004
【図３】
2018101305.tif 000005
【図４】
2018101305.tif 000006
【図５】
2018101305.tif 000007
【図６】
2018101305.tif 000008
【図７】
2018101305.tif 000009
【図８】
2018101305.tif 000010
【図９】
2018101305.tif 000011